(57)【特許請求の範囲】
【請求項１】
複数種の検査のそれぞれに対応した検査室を有する施設における受診者の誘導を支援する受診者誘導システムであって、
複数の検査室のそれぞれに設けられた検査室端末から、あらかじめ受診者ごとに前記複数種の検査のうちの受診すべき検査の情報を取得するとともに、受け付けた受診者の情報および検査を終了した受診者の情報を取得する受診者情報取得部と、
前記受診者情報取得部により取得された情報にもとづいて、受け付け後かつ検査未実施の受診者の数である待ち人数を検査室ごとに求め、前記検査室ごとの前記待ち人数に応じて前記検査室ごとの混み具合を複数に分類する混み具合分類部と、
施設案内画像内の各検査室の画像に対して前記混み具合分類部による混み具合の分類ごとに表示態様を異ならせた混雑状況画像を重畳した混み具合画像を生成する混み具合画像生成部と、
誘導対象受診者の情報を取得する誘導受診者受付部と、
前記誘導対象受診者の前記受診すべき検査のうち受診済みの検査に対応する前記混み具合画像の検査室の画像に対して前記受診済みである旨の情報を示す前記誘導対象受診者用の受診状況画像を重畳した誘導画像を生成する誘導画像生成部と、
前記混み具合画像および前記誘導画像のいずれかを表示する表示画面を有する表示部と、
入力部と、
前記入力部を介して所定の検査に対する受診者の受診申込みを受ける変更情報受付部と、
を備え、
前記誘導画像生成部は、
前記入力部を介して、前記混み具合画像および前記誘導画像のいずれかの前記所定の検査に対応する検査室の画像に対して、前記所定の検査に対応する検査室の受け付け後かつ検査未実施の受診者である待ち受診者のリスト画像を重畳するとともに、前記変更情報受付部により前記受診申込みが受けられると、前記受診申込みを受けた受診者が前記待ち受診者に追加されるよう前記待ち受診者の情報および前記リスト画像を修正する、
受診者誘導システム。
【請求項２】
前記誘導画像生成部は、
前記誘導対象受診者の前記受診すべき検査以外の受診不要の検査に対応する検査室の画像に対して受診不要である旨の情報を示す画像をさらに重畳して前記誘導画像を生成する、
請求項１記載の受診者誘導システム。
【請求項３】
前記混み具合分類部は、
前記検査室ごとに、前記待ち人数に対して検査に対応した検査所要時間を乗じて待ち時間を求めることにより前記複数の検査室の待ち時間の平均を求め、この待ち時間の平均と前記検査室ごとの前記待ち時間とにもとづいて前記検査室ごとの混み具合を複数に分類する、
請求項１または２に記載の受診者誘導システム。
【請求項４】
前記誘導画像生成部は、
前記変更情報受付部により前記受診申込みが受け付けられると、前記受診申込みを受け付けた受診者が前記受診申込み中であることがわかるよう他の待ち受診者と異なる表示態様で表示されるように前記リスト画像を修正するとともに、前記受診申込み中の受診者が前記所定の検査に対応する検査室で受け付けを済ませた旨の情報が前記検査室端末を介して前記受診者情報取得部により取得されると、前記検査室で受け付けを済ませた受診者が前記他の待ち受診者と同様の表示態様で表示されるように前記リスト画像をさらに修正する、
請求項１ないし３のいずれか１項に記載の受診者誘導システム。
【請求項５】
前記誘導画像生成部は、
前記誘導対象受診者の前記受診すべき検査のうち未受診の検査に受診順序が定められた複数の検査があるとともに前記所定の検査がこの受診順序で後に位置する検査であると、前記所定の検査よりも先に受診すべき検査がある旨の情報を示す画像を前記混み具合画像に重畳する、
請求項１ないし４のいずれか１項に記載の受診者誘導システム。
【請求項６】
前記変更情報受付部は、
前記入力部を介して前記待ち受診者の待ち順序の変更要求を受け付け、
前記誘導画像生成部は、
前記リスト画像を前記待ち順序の変更要求に応じて修正する、
請求項１ないし５のいずれか１項に記載の受診者誘導システム。
【請求項７】
前記変更情報受付部により受け付けられた、前記入力部を介して与えられた前記待ち受診者の変更の情報を取得する変更情報取得部、
をさらに備え、
前記待ち受診者の変更には、
少なくとも、前記待ち受診者に対する新たな受診者の追加、前記待ち受診者からの受診者の削除、および前記待ち受診者間の順序変更の少なくとも１つが含まれ、
前記混み具合分類部は、
前記変更情報受付部により受け付けられた前記待ち受診者の変更情報に応じて前記検査室ごとの混み具合を分類しなおす、
請求項１ないし６のいずれか１項に記載の受診者誘導システム。
【請求項８】
複数種の検査のそれぞれに対応した検査室を有する施設における受診者の誘導を支援する受診者誘導サーバであって、
複数の検査室のそれぞれの検査室端末から、受け付けた受診者の情報および検査を終了した受診者の情報を取得する受診者情報取得部と、
前記受診者情報取得部により取得された情報にもとづいて、受け付け後かつ検査未実施の受診者の数である待ち人数を検査室ごとに求め、前記検査室ごとの前記待ち人数に応じて前記検査室ごとの混み具合を複数に分類する混み具合分類部と、
施設案内画像内の各検査室の画像に対して前記混み具合分類部による混み具合の分類ごとに表示態様を異ならせた混雑状況画像を重畳した混み具合画像を生成する混み具合画像生成部と、
前記混み具合画像を、表示部と入力部とを有する誘導端末に対して送信する混み具合画像送信部と、
前記誘導端末に対して受け付け後かつ検査未実施の受診者である待ち受診者についての前記検査室ごとの情報を送信する検査別待ち受診者情報送信部と、
を備えた受診者誘導サーバ。
【請求項９】
前記受診者情報取得部は、
あらかじめ受診者ごとに前記複数種の検査のうちの受診すべき検査の情報を取得しておくとともに、誘導対象受診者の情報を取得し、
前記誘導対象受診者の前記受診すべき検査のうち受診済みの検査に対応する前記混み具合画像の検査室の画像に対して前記受診済みである旨の情報を示す前記誘導対象受診者用の受診状況画像を重畳した誘導画像を生成する誘導画像生成部、
をさらに備えた、
請求項８記載の受診者誘導サーバ。
【請求項１０】
前記混み具合分類部は、
前記検査室ごとに、前記待ち人数に対して検査に対応した検査所要時間を乗じて待ち時間を求めることにより前記複数の検査室の待ち時間の平均を求め、この待ち時間の平均と前記検査室ごとの前記待ち時間とにもとづいて前記検査室ごとの混み具合を複数に分類する、
請求項８または９に記載の受診者誘導サーバ。
【請求項１１】
前記誘導端末は、
前記検査室ごとの前記待ち受診者の情報にもとづいて、前記表示部に表示された前記混み具合画像の所定の検査室の画像に対して前記待ち受診者のリスト画像を表示するとともに、前記入力部を介した操作により前記待ち受診者の変更を受け付け、
前記待ち受診者の変更には、
少なくとも、前記待ち受診者に対する新たな受診者の追加、前記待ち受診者からの受診者の削除、および前記待ち受診者間の順序変更の少なくとも１つが含まれる、
請求項８ないし１０のいずれか１項に記載の受診者誘導サーバ。
【請求項１２】
前記誘導端末から前記入力部を介して前記待ち受診者を変更した旨の情報を受けるとともに、この待ち受診者を変更した旨の情報に応じて前記検査室ごとの前記待ち受診者の情報を変更する変更情報取得部、
をさらに備え、
前記混み具合分類部は、
前記待ち受診者を変更した旨の情報に応じて前記検査室ごとの混み具合を分類しなおす、
請求項８ないし１１のいずれか１項に記載の受診者誘導サーバ。
【発明の詳細な説明】
【技術分野】
【０００１】
本発明の実施形態は、受診者誘導システムおよび受診者誘導サーバに関する。
【背景技術】
【０００２】
定期健診や成人病健診などの各種健康診断を行う施設では、健診の受診者が効率よく所要の検査を受けることができるように受診者を誘導することが望まれる。受診者を誘導するための技術としては、たとえば特定の人や集団をミスなく円滑に誘導するために受診者をグループ分けし、同一のグループができるだけ同一の経路で受診することができるように誘導する技術などがある。
【先行技術文献】
【特許文献】
【０００３】
【特許文献１】特開２０１１−８５１７号公報
【発明の概要】
【発明が解決しようとする課題】
【０００４】
ところで、施設によっては受診者を誘導するための案内者（エスコート）が常設する場合がある。しかし、エスコートは一般に、受診者からの問合せに応じて各検査室の場所を案内することしかできず、効率的な受診順序の案内をすることが難しい。これは、時間とともに不規則に変化する各検査室の混み具合を把握することが難しく、現在どの検査室が空いているかの情報をエスコートが把握できないためである。
【課題を解決するための手段】
【０００５】
本発明の一実施形態に係る受診者誘導システムは、上述した課題を解決するために、複数種の検査のそれぞれに対応した検査室を有する施設における受診者の誘導を支援する受診者誘導システムであって、受診者情報取得部、混み具合分類部、混み具合画像生成部、誘導受診者受付部、誘導画像生成部、表示部、入力部および変更情報受付部を備えたものである。受診者情報取得部は、複数の検査室のそれぞれに設けられた検査室端末から、あらかじめ受診者ごとに複数種の検査のうちの受診すべき検査の情報を取得するとともに、受け付けた受診者の情報および検査を終了した受診者の情報を取得する。混み具合分類部は、受診者情報取得部により取得された情報にもとづいて、受け付け後かつ検査未実施の受診者の数である待ち人数を検査室ごとに求め、検査室ごとの待ち人数に応じて検査室ごとの混み具合を複数に分類する。混み具合画像生成部は、施設案内画像内の各検査室の画像に対して混み具合分類部による混み具合の分類ごとに表示態様を異ならせた混雑状況画像を重畳した混み具合画像を生成する。誘導受診者受付部は、誘導対象受診者の情報を取得する。誘導画像生成部は、誘導対象受診者の受診すべき検査のうち受診済みの検査に対応する混み具合画像の検査室の画像に対して受診済みである旨の情報を示す誘導対象受診者用の受診状況画像を重畳した誘導画像を生成する。表示部は、混み具合画像および誘導画像のいずれかを表示する表示画面を有する。変更情報受付部は、入力部を介して所定の検査に対する受診者の受診申込みを受ける。また、誘導画像生成部は、入力部を介して、混み具合画像および誘導画像のいずれかの所定の検査に対応する検査室の画像に対して、所定の検査に対応する検査室の受け付け後かつ検査未実施の受診者である待ち受診者のリスト画像を重畳するとともに、変更情報受付部により受診申込みが受けられると、受診申込みを受けた受診者が待ち受診者に追加されるよう待ち受診者の情報およびリスト画像を修正する。
【図面の簡単な説明】
【０００６】
【図１】本発明の第１実施形態に係る受診者誘導システム（受診者誘導サーバを含む）の一例を示す全体構成図。
【図２】誘導サーバの内部構成例を概略的に示すブロック図。
【図３】誘導サーバの記憶部に記憶される施設案内図の画像の一例を示す説明図。
【図４】第１実施形態に係る誘導サーバの主制御部のＣＰＵによる機能実現部の構成例を示す概略的なブロック図。
【図５】施設案内画像に混雑状況画像が重畳された混み具合画像の一例を示す説明図。
【図６】混み具合の分類方法の一例を示す説明図。
【図７】混み具合の分類方法の他の例を示す説明図。
【図８】誘導端末の内部構成例を概略的に示すブロック図。
【図９】第１実施形態に係る誘導端末の主制御部のＣＰＵによる機能実現部の構成例を示す概略的なブロック図。
【図１０】混み具合画像に対して誘導対象受診者用の受診状況画像が重畳されてなる誘導画像が表示される様子の一例を示す説明図。
【図１１】誘導画像に対して所定の検査の待ち受診者のリスト画像が重畳される様子の一例を示す説明図。
【図１２】待ち受診者の待ち順序を変更する様子の一例を示す説明図。
【図１３】誘導端末により検査受け付けを申し込む様子の一例を示す説明図。
【図１４】先に行うべき検査がある場合にその旨の情報を表示する様子の一例を示す説明図。
【図１５】図１３に示す例において先に行うべき検査がある場合にその旨の情報を表示する様子の一例を示す説明図。
【図１６】混雑状況画像の第１変形例および受診状況画像の変形例を示す説明図。
【図１７】混雑状況画像の第２変形例を示す説明図。
【図１８】混雑状況画像の第３変形例を示す説明図。
【図１９】第２実施形態に係る誘導サーバの主制御部のＣＰＵによる機能実現部の構成例を示す概略的なブロック図。
【図２０】第２実施形態に係る誘導端末の主制御部のＣＰＵによる機能実現部の構成例を示す概略的なブロック図。
【発明を実施するための形態】
【０００７】
本発明に係る受診者誘導システムおよび受診者誘導サーバの実施の形態について、添付図面を参照して説明する。
【０００８】
本発明の一実施形態に係る受診者誘導サーバおよびこれを備えた受診者誘導システムは、複数種の検査のそれぞれに対応した検査室を有する健診施設における受診者の誘導を支援するために用いられる。健診施設のエスコート（案内者）は、受診者誘導サーバと通信可能な端末を用いて受診者を誘導する。
【０００９】
（第１の実施形態）
（１．全体構成）
図１は、本発明の第１実施形態に係る受診者誘導システム１０（受診者誘導サーバ１１を含む）の一例を示す全体構成図である。
【００１０】
受診者誘導システム（以下、誘導システムという）１０は、受診者誘導サーバ（以下、誘導サーバという）１１および受診者誘導端末（以下、誘導端末という）１２を有する。
【００１１】
誘導サーバ１１は、パーソナルコンピュータなどの一般的な情報処理装置により構成され、ネットワーク１３に接続される。ここで、ネットワーク１３とは、電気通信技術を利用した情報通信網全般を意味し、病院基幹ＬＡＮ（Local Area Network）などの無線／有線ＬＡＮやインターネット網のほか、電話通信回線網、光ファイバ通信ネットワーク、ケーブル通信ネットワークおよび衛星通信ネットワークなどを含む。
【００１２】
ネットワーク１３にはさらに、たとえば画像データを蓄積するための画像サーバ１４などが接続される。
【００１３】
誘導端末１２は、たとえばノートブック型のパーソナルコンピュータ、デスクトップ型のパーソナルコンピュータや、タブレット型の携帯型情報処理装置などの種々の情報処理装置により構成することができる。この誘導端末１２は、有線または無線によりネットワーク１３と接続されて少なくとも誘導サーバ１１とデータ送受信する。以下の説明では、誘導端末１２がタブレット型の携帯型情報処理装置により構成され、無線によりネットワーク１３に接続される場合の例について示す。
【００１４】
具体的には、誘導端末１２は、ＩＥＥＥ８０２．１１シリーズ（ＩＥＥＥ８０２．１１ａ／ｂ／ｇ／ｊ／ｎなど）の各方式に従って誘導端末１２の周辺の無線ＬＡＮアクセスポイント（以下、ＡＰという）１５や他の無線ＬＡＮ接続可能な情報処理装置などの親機と無線ＬＡＮ接続を確立することができる。この誘導端末１２は、健診施設２０の施設内でエスコート（案内者）により用いられる。
【００１５】
健診施設２０は、複数の検査室２１を有する。各検査室２１には、１または複数の情報処理端末（検査室端末）が設けられる。以下の説明では、検査室端末として、受診者の受付処理を行う受付端末２２および医師の診断を支援する医師端末２３が各検査室２１それぞれに設けられる場合の例について示す。また、検査室２１には、必要に応じて検査を行うためのモダリティ２４が設けられる。
【００１６】
受付端末２２、医師端末２３およびモダリティ２４は、それぞれネットワーク１３に接続される。受付端末２２および医師端末２３は、それぞれネットワーク１３を介して誘導サーバ１１および画像サーバ１４とデータ送受信可能に構成される。また、医師端末２３は、モダリティ２４の動作を制御可能に構成されてもよい。一方、モダリティ２４は、検査により取得した画像データを、ネットワーク１３を介して画像サーバ１４に与える。また、モダリティ２４は、検査により取得した情報を同一検査室２１内の医師端末２３に与えてもよい。
【００１７】
各検査室２１の受付端末２２は、パーソナルコンピュータなどの一般的な情報処理装置により構成され、受付操作者または受診者本人により操作される。たとえば受付操作者は、受診を希望する受診者が検査室２１を訪れると、受診者から受診票を受け取り、受け付けた受診者（以下、受付済み受診者という）の情報を受付端末２２に入力する。受付端末２２は、この受付済み受診者の情報を、ネットワーク１３を介して誘導サーバ１１に与える。
【００１８】
なお、受付端末２２に対する受付済み受診者の情報の入力は他の方法であってもよく、たとえば受診票に対して受付済み受診者の情報を内容とするバーコードやＲＦＩＤ（Radio Frequency IDentification）タグが付されている場合は、受付操作者または受診者本人は、受付端末２２とデータ送受信可能なバーコードリーダまたはＲＦＩＤリーダにバーコードまたはＲＦＩＤタグを読み取らせることにより、受診者の情報を自動的に受付端末２２に与えてもよい。
【００１９】
この場合、受付端末２２はバーコードリーダまたはＲＦＩＤリーダから受けた受診者の情報を受付済み受診者の情報としてネットワーク１３を介して誘導サーバ１１に与える。また、受付済み受診者の情報は、医師端末２３によりネットワーク１３を介して誘導サーバ１１に与えられてもよい。
【００２０】
医師端末２３は、パーソナルコンピュータなどの一般的な情報処理装置により構成され、たとえば医師により操作される。医師は、受診者の検査が終了するごとに、検査を終了した受診者（以下、検査済み受診者という）の情報を医師端末２３に入力する。医師端末２３は、検査済み受診者の情報を、ネットワーク１３を介して誘導サーバ１１に与える。なお、検査済み受診者の情報は、受付端末２２によりネットワーク１３を介して誘導サーバ１１に与えられてもよい。
【００２１】
（２．誘導サーバ１１の構成および動作）
図２は、誘導サーバ１１の内部構成例を概略的に示すブロック図である。図２に示すように、誘導サーバ１１は、ネットワーク接続部３１、表示部３２、入力部３３、記憶部３４、主制御部３５、タイマ制御部３６およびタイマ３７を有する。
【００２２】
ネットワーク接続部３１は、ネットワーク１３の形態に応じた種々の情報通信用プロトコルを実装する。ネットワーク接続部３１は、この各種プロトコルに従って誘導サーバ１１と他の電気機器とをネットワーク１３を介してデータ送受信可能に接続する。
【００２３】
表示部３２は、たとえば液晶ディスプレイやＯＬＥＤ（Organic Light Emitting Diode）ディスプレイなどの一般的な表示出力装置により構成され、主制御部３５の制御に従って各種情報を表示する。
【００２４】
入力部３３は、たとえばキーボード、タッチパネル、テンキーなどの一般的な入力装置により構成され、ユーザの操作に対応した操作入力信号を主制御部３５に出力する。
【００２５】
記憶部３４は、データの書き換えが可能な不揮発性のメモリであり、たとえばハードディスクドライブやソリッドステートドライブなどにより構成することができる。
【００２６】
図３は、誘導サーバ１１の記憶部３４に記憶される施設案内図の画像の一例を示す説明図である。
【００２７】
記憶部３４は、健診施設２０の検査室２１の配置を示した施設案内図の画像（以下、施設案内画像という）のほか、各検査室２１の混雑状況を示すための混雑状況画像、検査別の混雑判定用人数閾値（以下、検査別人数閾値という）、検査別の所要時間情報などの各種データをあらかじめ記憶しているほか、各検査室２１の受付端末２２および医師端末２３から受けた情報を記憶する。
【００２８】
図３には、健診施設２０が１階および２階に配置された複数の検査室２１を有し、１階に胸部Ｘ線検査に対応する胸部Ｘ線撮影室、胃Ｘ線検査に対応する胃Ｘ線撮影室１および２を有し、２階に超音波検査に対応する超音波検査室や心電図検査に対応する検査室のほか各種検査に対応する検査室を有する場合の一例を示した。
【００２９】
なお、記憶部３４にあらかじめ記憶される混雑状況画像などのデータの一部または全部は必要に応じてネットワーク１３を介してダウンロードされて更新されるように構成してもよい。
【００３０】
主制御部３５は、ＣＰＵ、ＲＡＭおよびＲＯＭをはじめとする記憶媒体などにより構成され、この記憶媒体に記憶されたプログラムに従って誘導サーバ１１の動作を制御する。主制御部３５のＣＰＵは、ＲＯＭをはじめとする記憶媒体に記憶された受診者誘導プログラムおよびこのプログラムの実行のために必要なデータをＲＡＭへロードし、このプログラムに従って検査室２１ごとの混み具合を提示することにより誘導端末１２と協調してエスコートの受診者誘導を支援するための処理を実行する。
【００３１】
主制御部３５のＲＡＭは、ＣＰＵが実行するプログラムおよびデータを一時的に格納するワークエリアを提供する。主制御部３５のＲＯＭをはじめとする記憶媒体は、誘導サーバ１１の起動プログラム、受診者誘導プログラムや、これらのプログラムを実行するために必要な各種データを記憶する。
【００３２】
なお、ＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部はネットワーク１３を介してダウンロードされるように構成してもよい。
【００３３】
タイマ制御部３６は、主制御部３５により制御されて、タイマ３７を制御する。タイマ３７は、ソフトウエアタイマとして実現され、たとえば図示しないＲＴＣ（Real Time Clock）などが出力する時刻情報を利用して計時を行う。タイマ３７は、タイマ制御部３６により制御されて計時を開始し、タイマ制御部３６により設定された時間が経過するとタイムアウト信号を出力してリセットされる。
【００３４】
（３．誘導サーバ１１の主制御部３５の構成および動作）
図４は、第１実施形態に係る誘導サーバ１１の主制御部３５のＣＰＵによる機能実現部の構成例を示す概略的なブロック図である。なお、この機能実現部は、ＣＰＵを用いることなく回路などのハードウエアロジックによって構成してもよい。
【００３５】
図４に示すように、主制御部３５のＣＰＵは、受診者誘導プログラムによって、少なくとも受診者情報取得部４１、変更情報取得部４２、混み具合分類部４３、混み具合画像生成部４４、混み具合画像送信部４５、受診者別検査情報送信部４６、検査別待ち受診者情報送信部４７として機能する。この各部４１〜４７は、ＲＡＭの所要のワークエリアを、データの一時的な格納場所として利用する。
【００３６】
受診者情報取得部４１は、あらかじめ各受診者の受診すべき検査の情報（以下、受診者別検査情報という）を受付端末２２または医師端末２３からネットワーク接続部３１を介して取得し、記憶部３４に記憶させておく。受診すべき検査項目は、受診者ごとに異なる。受診者によっては、健診施設２０の複数の検査に訪れる必要のない検査（以下、不要検査）が存在する場合がある。この受診者別検査情報には、受診者の健診の進捗に応じて受診済みの検査の情報、現在受付済みかつ検査待ちの検査の情報、および誘導端末１２による検査申し込み中かつ検査室端末でまだ受付済みでない検査（申し込み中の検査）の情報が含まれる。
【００３７】
また、受診者情報取得部４１は、複数の検査室２１のそれぞれに設けられた受付端末２２または医師端末２３からネットワーク接続部３１を介して、受付済み受診者の情報および検査済み受診者の情報を取得する。受診者情報取得部４１は、これらの情報にもとづいて、検査室２１ごとに受付済み受診者であって検査済み受診者ではない受診者（以下、待ち受診者という）の情報（以下、検査別待ち受診者情報という）を記憶部３４に記憶させる。
【００３８】
変更情報取得部４２は、エスコートが誘導端末１２を用いて待ち受診者の変更を行うと、ネットワーク１３を介して誘導端末１２からこの待ち受診者の変更の情報を取得する。待ち受診者の変更としては、たとえば、所定の検査の待ち受診者に対する新たな受診者の追加、所定の検査の待ち受診者からの受診者の削除や、所定の検査の待ち受診者間の順序変更（待ち順序の変更）などが挙げられる。
【００３９】
また、変更情報取得部４２は、待ち受診者の変更情報に応じて記憶部３４に記憶された受診者別検査情報および検査別待ち受診者情報を変更する。
【００４０】
図５は、施設案内画像に混雑状況画像が重畳された混み具合画像の一例を示す説明図である。混雑状況画像は、各検査室２１の混雑状況を示すための画像である。図５には、混み具合が２種（「混雑している」および「空いている」）に分類される場合の例について示した。
【００４１】
混み具合分類部４３は、記憶部３４に記憶された検査別待ち受診者情報にもとづいて待ち受診者の数である待ち人数を検査室２１ごとに求め、検査室２１ごとの待ち人数に応じて検査室２１ごとの混み具合を複数に分類する。
【００４２】
図６は、混み具合の分類方法の一例を示す説明図である。混み具合の分類方法としては、全検査室２１の待ち時間の平均をもとめ、この待ち時間の平均にもとづいて混み具合を分類する方法を用いることができる。この方法を用いる場合、混み具合分類部４３は、検査室２１ごとの待ち人数に対し、記憶部３４に記憶された検査別所要時間を乗じることにより、各検査室２１の待ち時間を求める。次に、混み具合分類部４３は、この各検査室２１の待ち時間の平均を求める（図６参照）。
【００４３】
たとえば混み具合を２種に分類する場合、混み具合分類部４３は、待ち時間が平均以上の検査室２１を「混雑している」と分類する一方、待ち時間が平均未満の検査室２１を「空いている」に分類する。また、たとえば混み具合を３種に分類する場合、混み具合分類部４３は、待ち時間が平均×第１の定数（たとえば１．２など）以上であると「混雑」、平均×第２の定数（たとえば０．８など）以下であると「空き」、これらの中間であると「普通」に各検査室２１を分類する。ここで、第２の定数は第１の定数より小さいものとする。
【００４４】
待ち時間の平均は、健診施設２０で現在検診中の総受診者数（残り人数）の増減に応じて増減する。このため、全検査室２１の待ち時間の平均にもとづいて各検査室２１の混み具合を分類する場合、各検査室２１の待ち人数が変化するごと（たとえば受診者情報取得部４１が受付受診者の情報を取得するごとや変更情報取得部４２が待ち受診者の変更の情報を取得するごと）や、タイマ３７に設定した所定の時間の経過ごとに待ち時間の平均を算出しなおすことにより、動的に混み具合の判定閾値を変更することができる。
【００４５】
図７は、混み具合の分類方法の他の例を示す説明図である。混み具合の分類方法としては、検査ごとにあらかじめ設定された検査別の混雑判定用人数閾値（検査別人数閾値）にもとづいて各検査に対応する検査室２１の混み具合を判定する方法を用いてもよい。図７には、混み具合が検査別人数閾値により２種に分類され、身長・体重検査の人数閾値と胃Ｘ線検査の人数閾値（胃Ｘ線撮影室１および２に共通）の一例を示した。
【００４６】
この方法においても、健診施設２０で現在検診中の総受診者数（残り人数）が多くなるにつれて人数閾値が多くなるように人数閾値を設定し、各検査室２１の待ち人数が変化するごとや、タイマ３７に設定した所定の時間の経過ごとに残り人数を確認して閾値を再設定することにより、残り人数の増減に応じて動的に混み具合の判定閾値を変更することができる。
【００４７】
混み具合画像生成部４４は、混み具合分類部４３から検査室２１ごとの混み具合の分類の情報を受け、施設案内画像内の各検査室２１の画像に対してこの混み具合の分類ごとに表示態様を異ならせた混雑状況画像を重畳した混み具合画像を生成する（図５参照）。なお、図５には、混雑状況画像を混み具合に応じて色を異ならせた画像とする場合の例について示した。また、混み具合画像生成部４４は、検査別待ち受診者情報にもとづいて各検査室２１の画像に対して待ち人数を示す数値画像を重畳してもよい。
【００４８】
混み具合画像送信部４５は、混み具合画像を、ネットワーク１３を介して誘導端末１２に送信する。受診者別検査情報送信部４６は、記憶部３４に記憶された受診者別検査情報を、ネットワーク１３を介して誘導端末１２に送信する。検査別待ち受診者情報送信部４７は、記憶部３４に記憶された検査別待ち受診者情報を、ネットワーク１３を介して誘導端末１２に送信する。
【００４９】
混み具合画像送信部４５、受診者別検査情報送信部４６および検査別待ち受診者情報送信部４７のデータ送信タイミングは、たとえば記憶部３４に記憶された各情報の更新タイミングや、所定の周期でのタイマ３７のタイムアウト信号の出力タイミングとするとよい。また、誘導端末１２からの送信要求に応じて送信を行ってもよい。
【００５０】
（４．誘導端末１２の構成）
図８は、誘導端末１２の内部構成例を概略的に示すブロック図である。図８に示すように、誘導端末１２は、タッチパネル５１、レシーバ５２、マイクロフォン５３、ハードキー５４、無線ＬＡＮ通信用アンテナ５５、無線ＬＡＮ通信部５６、記憶部５７、主制御部５８、タイマ制御部５９およびタイマ６０を有する。
【００５１】
タッチパネル５１は、表示部６１と、表示部６１の近傍に設けられた入力部としてのタッチセンサ６２と有する。
【００５２】
表示部６１は、たとえば液晶ディスプレイや有機ＥＬ（Electro Luminescence）ディスプレイなどの一般的な表示出力装置により構成される。
【００５３】
表示部６１は、主制御部５８に制御されて、混み具合画像や誘導画像を表示するほか、誘導端末１２を操作するための情報や誘導端末１２を操作するための複数のキー（ソフトキー）などを表示する。一方、タッチセンサ６２は、エスコートによるタッチセンサ６２上の指示位置の情報を主制御部５８に与える。タッチセンサ６２としては、静電容量式センサや感圧式センサ、抵抗膜式センサなど、従来各種のものが知られており、これらのうち任意のものを使用することが可能である。
【００５４】
レシーバ５２は、警告音をはじめとした各種の情報に対応した音を出力する。また、マイクロフォン５３は、エスコートによって入力された音声をデジタル音声信号に変換する。エスコートによって入力された音声は、入力指示として主制御部５８に与えられてもよい。この場合、主制御部５８は、入力された音声を解析して指示内容を把握し、指示内容に応じてたとえば待ち受診者の変更を受け付けてもよい。
【００５５】
ハードキー５４は、エスコートにより押下されるとこの押下に応じた信号を主制御部５８に与える。主制御部５８は、ハードキー５４が押下されると、押下されてから開放されるまでの時間に応じて誘導端末１２を制御することができる。たとえば、主制御部５８は、ハードキー５４が短押しされるとシステムをスタンバイ状態に遷移させ、長押しされると誘導端末１２全体の電源のＯＮまたはＯＦＦを行う。
【００５６】
無線ＬＡＮ通信部５６は、主制御部５８に制御されて、無線ＬＡＮ通信用アンテナ５５を介してＡＰ１５と無線ＬＡＮを構築する。無線ＬＡＮ通信部５６は、たとえばインターネットプロトコル（ＩＰ）にもとづく無線通信によりネットワーク１３を介して誘導サーバ１１とデータの送受信を行うことができる。
【００５７】
記憶部５７は、データの書き換えが可能な不揮発性のメモリであり、たとえばハードディスクドライブやソリッドステートドライブなどにより構成することができる。この記憶部５７は、受診状況画像をあらかじめ記憶しているほか、誘導サーバ１１から受けた混み具合画像、受診者別検査情報および検査別待ち受診者情報を記憶する。なお、記憶部５７にあらかじめ記憶される受診状況画像の一部または全部は必要に応じてネットワーク１３を介してダウンロードされて更新されるように構成してもよい。
【００５８】
誘導端末１２の主制御部５８は、ＣＰＵ、ＲＡＭおよびＲＯＭをはじめとする記憶媒体などにより構成され、この記憶媒体に記憶されたプログラムに従って誘導端末１２の動作を制御する。主制御部５８のＣＰＵは、ＲＯＭをはじめとする記憶媒体に記憶された受診者誘導プログラムおよびこのプログラムの実行のために必要なデータをＲＡＭへロードし、このプログラムに従って検査室２１ごとの混み具合を提示することにより誘導サーバ１１と協調してエスコートの受診者誘導を支援するための処理を実行する。
【００５９】
主制御部５８のＲＡＭは、ＣＰＵが実行するプログラムおよびデータを一時的に格納するワークエリアを提供する。主制御部５８のＲＯＭをはじめとする記憶媒体は、誘導端末１２の起動プログラム、受診者誘導プログラムや、これらのプログラムを実行するために必要な各種データを記憶する。
【００６０】
なお、ＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部はネットワーク１３を介してダウンロードされるように構成してもよい。
【００６１】
タイマ制御部５９は、主制御部５８により制御されて、タイマ６０を制御する。タイマ６０は、ソフトウエアタイマとして実現され、たとえば図示しないＲＴＣ（Real Time Clock）などが出力する時刻情報を利用して計時を行う。タイマ６０は、タイマ制御部５９により制御されて計時を開始し、タイマ制御部５９により設定された時間が経過するとタイムアウト信号を出力してリセットされる。
【００６２】
（５．誘導端末１２の主制御部５８の構成および動作）
図９は、第１実施形態に係る誘導端末１２の主制御部５８のＣＰＵによる機能実現部の構成例を示す概略的なブロック図である。なお、この機能実現部は、ＣＰＵを用いることなく回路などのハードウエアロジックによって構成してもよい。
【００６３】
図９に示すように、誘導端末１２の主制御部５８のＣＰＵは、受診者誘導プログラムによって、少なくとも混み具合画像取得部７１、受診者別検査情報取得部７２、検査別待ち受診者情報取得部７３、誘導受診者受付部７４、誘導画像生成部７５、変更情報受付部７６、変更判定部７７および変更情報送信部７８として機能する。この各部７１〜７８は、ＲＡＭの所要のワークエリアを、データの一時的な格納場所として利用する。
【００６４】
混み具合画像取得部７１は、誘導サーバ１１からネットワーク１３を介して混み具合画像（図５参照）を取得する。受診者別検査情報取得部７２は、誘導サーバ１１からネットワーク１３を介して受診者別検査情報を取得する。検査別待ち受診者情報取得部７３は、誘導サーバ１１からネットワーク１３を介して検査別待ち受診者情報を取得する。取得された混み具合画像、受診者別検査情報および検査別待ち受診者情報は、混み具合画像取得部７１、受診者別検査情報取得部７２および検査別待ち受診者情報取得部７３によりそれぞれ記憶部５７または主制御部５８のＲＡＭの所要のワークエリアに記憶される。
【００６５】
図１０は、混み具合画像に対して誘導対象受診者用の受診状況画像が重畳されてなる誘導画像が表示される様子の一例を示す説明図である。
【００６６】
誘導受診者受付部７４は、エスコートによるタッチセンサ６２を介した入力操作により、誘導対象受診者の情報を取得する。誘導対象受診者としては、たとえばエスコートに対して健診施設２０内の誘導を依頼してきた受診者などが挙げられる。エスコートは、たとえば受診者検索画面を用いて誘導対象受診者の受診者名や受診者ＩＤにもとづいて誘導端末１２に受診者を検索させる。
【００６７】
そして、所望の受診者が検出されると、エスコートは、タッチセンサ６２を介した入力操作により、混み具合画像（図５参照）に対して誘導対象受診者用の受診状況画像が重畳された誘導画像を表示するよう指示するソフトキー（図１０の誘導画像表示キー）をタップする。この結果、誘導受診者受付部７４に対して誘導対象受診者の情報が与えられる（図１０の左図参照）。
【００６８】
ここで、ユーザのタッチセンサ６２を介した表示画面に対する入力操作について、プレスとは非接触状態から接触状態への移行動作をいい、リリースとは接触状態から非接触状態への移行動作をいい、スライドとはプレス後接触状態を維持したまま接触位置を移動させる動作をいうものとする。また、タップとはプレス後所定の時間（たとえば１秒）未満でリリースするいわゆるクリック動作をいうものとする。
【００６９】
誘導画像生成部７５は、誘導対象受診者の受診者別検査情報を抽出し、誘導対象受診者が受診すべき検査の情報、受診済みの検査の情報、現在受付済みかつ検査待ちの検査の情報、および申し込み中の検査（誘導端末１２による検査申し込み中かつ検査室端末でまだ受付済みでない検査）の情報を取得する。
【００７０】
そして、誘導画像生成部７５は、誘導対象受診者の受診者別検査情報にもとづいて、受診済みの検査に対応する検査室２１の画像上に受診済みである旨の情報を示す受診状況画像を、不要検査に対応する検査室２１の画像上に受診不要である旨の情報を示す受診状況画像を、それぞれ混み具合画像に重畳した誘導画像を生成し、タッチパネル５１の表示部６１に表示させる。（図１０の右図参照）。
【００７１】
このとき、誘導画像のうち、誘導対象受診者が受診すべき検査であって未受診の検査に対応する検査室２１の画像に対しては、混雑状況画像がそのまま重畳されていることになる。なお、図１０には、受診状況画像を受診状況に応じて色を異ならせる画像とする場合の例について示したが、受診状況画像はたとえば未受診である、検査不要である旨の情報を内容とする文字列であってもよい。
【００７２】
なお、混み具合画像を表示する場合、誘導画像生成部７５は、混み具合画像取得部７１から受けた混み具合画像をそのまま表示部６１に表示させればよい。エスコートは、混み具合画像を確認すれば、受診者によらない全体の混み具合の状況を把握することができる。また、受診者自身が受診すべき検査を把握していれば、エスコートはこの混み具合画像にもとづいて、訪ねてきた受診者を次に行くとよい検査室２１に誘導することができる。
【００７３】
また、図１０の右図に示すように、主制御部５８は、画像更新要求を受け付けるためのソフトキーを表示部６１に表示させてもよい（図１０の画像更新キー参照）。このソフトキーがタップされて、または誘導端末１２のタイマ６０に設定された所定周期のタイムアウト信号出力に応じて、誘導端末１２から、誘導サーバ１１の混み具合画像送信部４５、受診者別検査情報送信部４６および検査別待ち受診者情報送信部４７に対して、混み具合画像、受診者別検査情報および検査別待ち受診者情報の送付を要求してもよい。この場合、誘導画像生成部７５は、誘導サーバ１１から混み具合画像、受診者別検査情報および検査別待ち受診者情報の少なくとも１つが送付されると、この送付に応じて再度誘導画像および誘導画像の重畳画像を生成するとよい。
【００７４】
図１１は、誘導画像に対して所定の検査の待ち受診者のリスト画像が重畳される様子の一例を示す説明図である。なお、図１１には誘導画像にリスト画像が重畳される場合の例について示したが、混み具合画像に直接リスト画像が重畳されてもよい。以下、誘導画像にリスト画像が重畳される場合の例について説明する。
【００７５】
誘導画像生成部７５はさらに、エスコートによるタッチセンサ６２を介した入力操作に応じて、誘導画像（または混み具合画像）に対して、検査別待ち受診者情報にもとづいて、所定の検査に対応する検査室２１の待ち受診者のリスト画像を重畳して表示部６１に表示させる（図１１の右図参照）。ここで、エスコートによるタッチセンサ６２を介した入力操作とは、所定の検査に対応する検査室２１の画像上やこの検査室２１の画像に重畳された混雑状況画像上をタップする操作が挙げられる（図１１の左図参照）。
【００７６】
リスト画像を重畳表示することにより、エスコートは、混雑状況画像から混雑状況を大まかに把握できるとともに、リスト画像から各検査室２１の待ち受診者の情報を容易に確認することができる。
【００７７】
図１２は、待ち受診者の待ち順序を変更する様子の一例を示す説明図である。なお、図１２には誘導画像にリスト画像が重畳され、このリスト画像に対して待ち順序の変更操作が行われる場合の例について示したが、リスト画像を介さずに図示しないメニュー画像から待ち順序を変更してもよい。
【００７８】
変更情報受付部７６は、エスコートによるタッチセンサ６２を介した入力操作に応じて待ち受診者の待ち順序の変更要求を受け付ける。エスコートによるタッチセンサ６２を介した入力操作としては、誘導画像（または混み具合画像）に重畳されたリスト画像上の変更対象受診者を示す画像を所望の位置までスライドさせてリリースする操作が挙げられる（図１２参照）。
【００７９】
また、エスコートが待ち順序の変更を行う場合としては、待ち順序を待ち受診者の年齢や体調に応じた優先順位で再編成する場合や、同一のグループに属する受診者群の順序をまとめる場合や、健診施設２０に訪れた順序で再編成する場合などが挙げられる。なお、健診施設２０に訪れた順序での再編成を行うためには、あらかじめ受診者別検査情報に対して各受診者が健診施設２０を訪れた時刻を関連付けて記憶部３４に記憶させておくとよい。
【００８０】
変更判定部７７は、変更情報受付部７６により待ち順序の変更要求が受け付けられると、その旨の情報を、誘導画像生成部７５に与えるとともに変更情報送信部７８を介して誘導サーバ１１の変更情報取得部４２に与える。誘導画像生成部７５は、この待ち順序の変更要求に応じてリスト画像を修正する。また、誘導サーバ１１の変更情報取得部４２は、この待ち順序の変更の情報に応じて記憶部３４に記憶された検査別待ち受診者情報を変更する。
【００８１】
図１３は、誘導端末１２により検査受け付けを申し込む様子の一例を示す説明図である。なお、図１３には誘導画像において検査受け付けを申し込む場合の例（図１３の変更メニューの追加キー参照）について示したが、混み具合画像において検査受け付けを申し込むこともできる。
【００８２】
所定の検査室２１の検査に対して所定の受診者の検査申し込みを行う場合、すなわち所定の検査室２１の検査の待ち受診者に対して所定の受診者を追加する場合、エスコートは、誘導画像（または混み具合画像）に対してタッチセンサ６２を介した所定の入力操作を行う。タッチセンサ６２を介した所定の入力操作としては、たとえば図１３の左図に示すように、まず表示部６１に表示された変更指示用のソフトキーをタップし、タップに応じて表示されたメニューのうちの追加指示用のソフトキーをタップしてから、所定の検査室２１の画像上をタップする操作などが挙げられる。
【００８３】
変更情報受付部７６により所定の検査室２１の検査に対して所定の受診者の受診申し込みが受け付けられると、変更判定部７７は、その旨の情報を、誘導画像生成部７５に与えるとともに変更情報送信部７８を介して誘導サーバ１１の変更情報取得部４２に与える。
【００８４】
誘導画像生成部７５は、この受診申し込みに応じて、所定の受診者が受診申し込み中であることがわかるよう他の待ち受診者と異なる表示態様で表示されるように、所定の受診者が待ち受診者に追加されたリスト画像を修正する。図１３には、受診申し込み中の所定の受診者が点滅する場合の例、および他の待ち受診者よりも薄く表示される場合の例について示した。また、誘導サーバ１１の変更情報取得部４２は、この受診申し込みの情報に応じて、記憶部３４に記憶された受診者別検査情報および検査別待ち受診者情報を変更する。
【００８５】
続いて、この受診申し込み中の所定の受診者が実際に所定の検査室２１で受け付けを済ませると、その旨の情報が受付端末２２または医師端末２３から受診者情報取得部４１に与えられて記憶部３４の受診者別検査情報および検査別待ち受診者情報が更新される。次に、たとえば更新をトリガとして、または所定の周期での誘導サーバ１１のタイマ３７の出力信号に応じて、更新された受診者別検査情報および検査別待ち受診者情報がネットワーク１３を介して誘導画像生成部７５に与えられる。
【００８６】
そして、誘導画像生成部７５は、更新された受診者別検査情報および検査別待ち受診者情報にもとづいて、受付申し込み状態が受付確定状態となったことがわかるよう、所定の検査室２１で受け付けを済ませた所定の受診者が他の待ち受診者と同様の表示態様で表示されるようにリスト画像をさらに修正する。なお、待ち受診者から所定の受診者を削除する場合にも、同様に誘導サーバ１１および誘導端末１２が協調してリスト画像が修正される。
【００８７】
図１４は、先に行うべき検査がある場合にその旨の情報を表示する様子の一例を示す説明図である。
【００８８】
受診者が受診すべき検査には、受診順序が定められた複数の検査がある場合がある。たとえば、胃Ｘ線検査は、胸部Ｘ線検査が終わったあとに受診されることが好ましい。そこで、誘導画像生成部７５は、あらかじめ誘導受診者受付部７４から誘導対象受診者の情報を取得しておき、この誘導対象受診者が受診すべき検査かつ未受診の検査に受診順序が定められた複数の検査がある場合に、この複数の検査のうち最初に受診すべき検査以外の検査に対応する検査室２１に対する入力操作が受け付けられると、警告を表示するとよい。
【００８９】
図１４には、胸部Ｘ線検査および胃Ｘ線検査の両検査が受診すべき検査かつ未受診の検査に含まれる誘導対象受診者について、胃Ｘ線検査に対応する検査室２１の画像がタップされると、「胸部Ｘ線検査を先に行ってください」との文字表示がされる場合の例を示した。なお、主制御部５８は、この文字の音声読み上げを行ってマイクロフォン５３から音声出力させてもよい。
【００９０】
図１５は、図１３に示す例において先に行うべき検査がある場合にその旨の情報を表示する様子の一例を示す説明図である。
【００９１】
図１３に示した検査受け付けの申し込み処理において、受診順序が定められた複数の検査であって最初に受診すべき検査以外の検査が申し込み先の検査とされた場合には、図１４に示した例と同様に、先に行うべき検査がある旨の情報を表示するとよい（図１５の右上図参照）。
【００９２】
なお、この情報の表示後の処理としては、待ち受診者に対する追加を拒否してもよいし、仮に申し込みを受け付けてもよい。拒否する場合は、先に行うべき検査がある旨および追加を拒否する旨の文字情報やビープ音を出してもよい。
【００９３】
一方、図１５の右下方に３種の例を示したように、待ち受診者に対する追加をとりあえず仮に受け付ける場合は、たとえば他の待ち受診者とは異なる表示態様で申し込み受診者を表示することで先に行うべき検査がある旨を示してもよい。この異なる表示態様としては、申し込み受診者を点滅または薄く表示する態様のほか、要修正を示す図形（要修正図形）を申し込み受診者の近傍に表示させる態様などを用いることができる。
【００９４】
図１６は、混雑状況画像の第１変形例および受診状況画像の変形例を示す説明図である。混雑状況画像は、混み具合の分類ごとに表示態様を異ならせた画像であればよい。また、受診状況画像は、受診済みの検査か不要検査かを区別可能な画像であればよい。たとえば図１６に示すように、混雑状況画像および受診状況画像は、混み具合の分類および受診状況ごとに互いに異なる形状の図形とすることができる。
【００９５】
図１７は、混雑状況画像の第２変形例を示す説明図である。混雑状況画像は、混み具合の分類ごとに表示態様を異ならせた画像であればよく、図１７に示すように混み具合の分類に応じて互いに異なる大きさの図形とし、たとえば混雑度が高いほど図形が大きくなるようにしてもよい。
【００９６】
図１８は、混雑状況画像の第３変形例を示す説明図である。混雑状況画像としては、たとえば図１８に示すように混み具合の分類に応じて移動パターンや速度が互いに異なる動きをする図形としてもよい。図１８には、同一形状の図形を混み具合の分類に応じて単振動させ、混雑度が高いほど単振動の振幅が大きくなるようにする場合の例について示した。
【００９７】
本実施形態に係る誘導サーバ１１を備えた誘導システム１０は、エスコートにより利用される誘導端末１２の表示画面に、施設案内画像上に各検査室２１の混み具合を示す混み具合画像を表示することができる。また、この混み具合画像は、たとえば所定の周期ごとに更新することによりリアルタイムな画像とすることができる。このため、エスコートは混み具合画像を介して容易に各検査室２１の混み具合を把握することができる。
【００９８】
また、本実施形態に係る誘導サーバ１１を備えた誘導システム１０は、誘導対象受診者ごとに受診済み検査および不要検査の検査室２１を示す受診状況画像を混み具合画像に重畳させた誘導画像を表示させることができる。このため、エスコートは、誘導対象受診者が未受診の検査であって空いている検査室２１があるか否かを容易に把握することができる。
【００９９】
また、本実施形態に係る誘導サーバ１１を備えた誘導システム１０によれば、エスコートは誘導端末１２に対する入力操作により、所定の検査の待ち受診者に対する新たな受診者の追加、所定の検査の待ち受診者からの受診者の削除、および所定の検査の待ち受診者間の順序変更（待ち順序の変更）を容易に行うことができる。さらに、所定の検査の待ち受診者に対して新たな受診者を追加する際に、この追加先の検査が、受診順序が定められた複数の検査であって最初に受診すべき検査以外の検査である場合には、先に受診すべき検査がある旨の情報を、誘導端末１２を介してエスコートに警告することができる。
【０１００】
また、本実施形態に係る誘導サーバ１１を備えた誘導システム１０は、健診施設２０で現在検診中の総受診者数（残り人数）の増減に応じて動的に混み具合の判定閾値を変更することができる。
（第２の実施形態）
【０１０１】
次に、本発明に係る受診者誘導システムおよび受診者誘導サーバの第２実施形態について説明する。
【０１０２】
図１９は、第２実施形態に係る誘導サーバ１１の主制御部３５ＡのＣＰＵによる機能実現部の構成例を示す概略的なブロック図である。また、図２０は、第２実施形態に係る誘導端末１２の主制御部５８ＡのＣＰＵによる機能実現部の構成例を示す概略的なブロック図である。
【０１０３】
この第２実施形態に示す誘導システム１０は、誘導端末１２が誘導対象受診者の情報を誘導サーバ１１に与えることにより誘導サーバ１１が誘導対象受診者に応じた誘導画像を生成し、誘導端末１２がこの誘導サーバ１１により生成された誘導画像を表示するよう構成される。なお、図４に示す誘導サーバ１１および図９に示す誘導端末１２と実質的に異ならない構成については、同一符号を付して説明を省略する。
【０１０４】
本実施形態に係る誘導サーバ１１の記憶部３４Ａは、さらに受診状況画像をあらかじめ記憶している点で第１実施形態に係る誘導サーバ１１の記憶部３４と異なる。
【０１０５】
また、図１９に示すように、誘導サーバ１１の主制御部３５ＡのＣＰＵは、受診者誘導プログラムによって、少なくとも受診者情報取得部４１Ａ、変更情報取得部４２、混み具合分類部４３、混み具合画像生成部４４、混み具合画像送信部４５Ａ、検査別待ち受診者情報送信部４７、誘導画像生成部８１として機能する。
【０１０６】
一方、図２０に示すように、誘導端末１２の主制御部５８ＡのＣＰＵは、受診者誘導プログラムによって、少なくとも混み具合画像取得部７１Ａ、検査別待ち受診者情報取得部７３、誘導受診者受付部７４、誘導画像生成部７５Ａ、変更情報受付部７６、変更判定部７７および変更情報送信部７８、誘導受診者送信部８２として機能する。
【０１０７】
誘導端末１２の誘導受診者送信部８２は、誘導受診者受付部７４により受け付けられた誘導対象受診者の情報を、誘導サーバ１１に送信する。
【０１０８】
誘導サーバ１１の受診者情報取得部４１Ａは、誘導受診者送信部８２により送信された誘導対象受診者の情報を取得し、誘導画像生成部８１に与える。
【０１０９】
誘導サーバ１１の誘導画像生成部８１は、受診者情報取得部４１Ａから誘導対象受診者の情報を受けると、記憶部３４Ａから誘導対象受診者の受診者別検査情報を抽出し、誘導対象受診者が受診すべき検査の情報、受診済みの検査の情報、現在受付済みかつ検査待ちの検査の情報、および申し込み中の検査（誘導端末１２による検査申し込み中かつ検査室端末でまだ受付済みでない検査）の情報を取得する。
【０１１０】
そして、誘導画像生成部８１は、誘導対象受診者の受診者別検査情報にもとづいて、受診済みの検査に対応する検査室２１の画像上に受診済みである旨の情報を示す受診状況画像を、不要検査に対応する検査室２１の画像上に受診不要である旨の情報を示す受診状況画像を記憶部３４Ａから読み出し、混み具合画像生成部７５により生成された混み具合画像に重畳して誘導画像を生成する（図１０の右図参照）。
【０１１１】
混み具合画像送信部４５Ａは、混み具合画像生成部４４により生成された混み具合画像を誘導端末１２に送信する。また、受診者情報取得部４１Ａが誘導対象受診者の情報を受けて誘導画像生成部８１により誘導画像が生成された場合は、混み具合画像送信部４５Ａは、この誘導画像を誘導端末１２に送信する。
【０１１２】
誘導端末１２の混み具合画像取得部７１Ａは、誘導サーバ１１の混み具合画像送信部４５Ａから混み具合画像または誘導画像を取得し、誘導端末１２内の誘導画像生成部７５Ａに与える。
【０１１３】
誘導端末１２の誘導画像生成部７５Ａは、混み具合画像取得部７１Ａから取得した混み具合画像または誘導画像をそのまま表示部６１に表示させる。また、誘導画像生成部７５Ａは、エスコートによるタッチセンサ６２を介した入力操作（図１１の左図参照）に応じて、誘導画像（または混み具合画像）に対して、検査別待ち受診者情報にもとづいて、所定の検査に対応する検査室２１の待ち受診者のリスト画像を重畳して表示部６１に表示させる（図１１の右図参照）。
【０１１４】
たとえば、エスコートが誘導対象受診者の受診状況を確認すべく誘導画像を表示部６１に表示させたい場合を考える。この場合、まずエスコートはタッチセンサ６２を介して誘導対象受診者の情報およびこの受診者の誘導画像の表示指示を入力する（図１０参照）。すると、この誘導対象受診者の情報が誘導受診者送信部８２から誘導サーバ１１の受診者情報取得部４１Ａに送信され、誘導画像生成部８１により誘導対象受診者の誘導画像が生成される。この誘導画像は混み具合画像送信部４５Ａから誘導端末１２の混み具合画像取得部７１Ａに送信されて、誘導画像生成部７５Ａにより表示部６１に表示される。
【０１１５】
したがって、第２実施形態に係る誘導サーバ１１を備えた誘導システム１０によっても、混み具合画像および誘導画像を表示部６１に表示させることができ、第１実施形態に係る第２実施形態に係る誘導サーバ１１を備えた誘導システム１０と同様の作用効果を奏する。
【０１１６】
また、第２実施形態に係る誘導システム１０によれば、誘導サーバ１１および誘導端末１２の間で受診者別検査情報を送受信する必要がなく、この送受信に係る構成および手間を省くことができる。
【０１１７】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１８】
たとえば、第１実施形態に係る誘導サーバ１１が第２実施形態に係る受診者情報取得部４１Ａを備え、第１実施形態に係る誘導端末１２が誘導受診者送信部８２を備えてもよい。この場合、誘導サーバ１１の受診者別検査情報送信部４６は、誘導受診者送信部８２から取得した誘導対象受診者の情報にもとづいて記憶部３４に記憶された受診者別検査情報から誘導対象受診者の情報のみを抽出して誘導端末１２に送信することができる。
【符号の説明】
【０１１９】
１０  受診者誘導システム
１１  受診者誘導サーバ
１２  受診者誘導端末
２０  健診施設
２１  検査室
２２  受付端末
２３  医師端末
３４、３４Ａ  受診者誘導サーバの記憶部
３５、３５Ａ  受診者誘導サーバの主制御部
４１、４１Ａ  受診者情報取得部
４２  変更情報取得部
４３  混み具合分類部
４４  混み具合画像生成部
５１  タッチパネル
５７  受診者誘導端末の記憶部
５８、５８Ａ  受診者誘導端末の主制御部
６１  表示部
６２  タッチセンサ（入力部）
７１、７１Ａ  混み具合画像取得部
７３  検査別待ち受診者情報取得部
７４  誘導受診者受付部
７５、７５Ａ  受診者誘導端末の誘導画像生成部
７６  変更情報受付部
８１  受診者誘導サーバの誘導画像生成部
【図１】
0005889686.tif 000002
【図２】
0005889686.tif 000003
【図３】
0005889686.tif 000004
【図４】
0005889686.tif 000005
【図６】
0005889686.tif 000006
【図７】
0005889686.tif 000007
【図８】
0005889686.tif 000008
【図９】
0005889686.tif 000009
【図１９】
0005889686.tif 000010
【図２０】
0005889686.tif 000011
【図５】
0005889686.tif 000012
【図１０】
0005889686.tif 000013
【図１１】
0005889686.tif 000014
【図１２】
0005889686.tif 000015
【図１３】
0005889686.tif 000016
【図１４】
0005889686.tif 000017
【図１５】
0005889686.tif 000018
【図１６】
0005889686.tif 000019
【図１７】
0005889686.tif 000020
【図１８】
0005889686.tif 000021